【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
タービン用の空圧式トリップシステムであって：
タービン流路に作動的に関連付けられた弁部材であって、前記タービン流路を閉じて前記タービン流路を通る流体の流れを妨げるために前記タービン流路に係止するように作動する弁部材と；
前記弁部材に結合された弁棒であって、前記タービン流路を通る流体の流れを許容する開位置と、前記タービン流路を通る流体の流れを妨げる閉位置と、の間で前記弁部材を移動させるように構成された弁棒と；
前記弁棒に作動的に結合されたアクチュエータ組立体とを備え；
前記アクチュエータ組立体は、
シリンダと、
前記弁棒に作動的に結合されたピストンであって、前記シリンダ内に移動可能に配設され、前記シリンダを第１のチャンバと第２のチャンバとに分割するピストンと、
前記シリンダの前記第２のチャンバ内に配設された付勢要素であって、前記ピストンに係止して前記弁棒と前記弁部材とを前記閉位置に向けて付勢するために前記ピストンを係止している付勢要素と、
前記シリンダの前記第２のチャンバに連通する空圧回路と、
前記シリンダの前記第１のチャンバを加圧するように構成された空圧機構とを有し；
前記シリンダは第１のポートを含み、前記第１のポートは、前記ピストンに前記弁棒及び前記弁部材を前記開位置で保持させるために前記シリンダの前記第１のチャンバが加圧され得るように、前記第１のチャンバを前記シリンダの外部と連通させ、
前記空圧機構は、前記第１のポートを介して前記シリンダの前記第１のチャンバに連通し、かつ、前記ピストンに前記弁棒及び前記弁部材を前記開位置で保持させるために前記第１のチャンバを加圧するように構成されると共に、前記付勢要素により付勢される中、前記ピストンが前記弁棒及び前記弁部材を前記閉位置まで動かすことを許容するために前記シリンダの前記第１のチャンバの圧力を開放するように構成され、
前記シリンダは第２のポートを含み、前記第２のポートは、前記第２のチャンバを前記空圧回路に連通させ、
前記空圧回路は、前記第１のチャンバが前記空圧機構によって加圧されている間、前記開位置と前記閉位置との間の試行位置まで前記弁棒及び前記弁部材を動かすために前記ピストンを作動させるように前記シリンダの前記第２のチャンバを加圧するように構成され、前記弁部材は、前記試行位置で前記タービン流路を通る流体の流れを許容するように構成された、
空圧式トリップシステム。
【請求項２】
前記空圧回路は、前記弁棒及び前記弁部材が前記試行位置に達すると前記第２のチャンバの加圧を停止し、前記弁棒及び前記弁部材を前記試行位置に保持すように前記第２のチャンバ内の圧力を保持するように構成された、
請求項１に記載の空圧式トリップシステム。
【請求項３】
前記空圧回路は、前記ピストンが前記弁棒及び前記弁部材を前記試行位置に動かすときに前記ピストンにより作動されるリミットスイッチを備え、前記リミットスイッチは、前記空圧回路に前記第２のチャンバの加圧を停止させ、前記ピストンが作動するときに前記第２のチャンバ内の前記圧力を保持するように構成された、
請求項２に記載の空圧式トリップシステム。
【請求項４】
前記空圧回路は第１のソレノイド及び第２のソレノイドを備え、
前記第１のソレノイド及び前記第２のソレノイドは、前記空圧回路が作動しているときに、前記シリンダの前記第２のチャンバを加圧するように駆動され、
前記第１のソレノイド及び前記第２のソレノイドは、前記弁棒及び前記弁部材が前記試行位置にあるときに、前記第２のチャンバの加圧を停止して前記第２のチャンバ内の前記圧力を保持するように駆動され、
前記第１のソレノイド及び前記第２のソレノイドは、前記空圧回路が解除されているときに、前記第２のチャンバの前記圧力を解放するように駆動される、
請求項２に記載の空圧式トリップシステム。
【請求項５】
前記空圧回路は、前記シリンダの前記第２のチャンバを加圧するように前記空圧回路を起動すると共に前記第２のチャンバの圧力を解放するように前記空圧回路を解除するように構成された起動スイッチを備える、
請求項１に記載の空圧式トリップシステム。
【請求項６】
前記起動スイッチは回転スイッチに作動的に結合された、
請求項５に記載の空圧式トリップシステム。
【請求項７】
前記付勢要素は圧縮ばねを備える、
請求項１に記載の空圧式トリップシステム。
【請求項８】
空圧式トリップシステム用のアクチュエータ組立体であって、
シリンダと、
トリップ弁に結合されるように構成されたピストンであって、前記シリンダ内で前記トリップ弁の開位置に対応する第１の位置と前記トリップ弁の閉位置に対応する第２の位置との間を移動可能に配設され、前記シリンダを第１のチャンバと第２のチャンバとに分割するピストンと、
前記シリンダの前記第２のチャンバ内に配設された付勢要素であって、前記第２の位置に向けて前記ピストンを付勢するために前記ピストンを係止している付勢要素と、
前記シリンダの前記第２のチャンバに連通する空圧回路と、
前記シリンダの前記第１のチャンバを加圧するように構成された空圧機構とを備え、
前記シリンダは第１のポートを含み、前記第１のポートは、前記ピストンを前記第１の位置にとどめるために前記シリンダの前記第１のチャンバが加圧され得るように、前記第１のチャンバを前記シリンダの外部と連通させ、
前記空圧機構は、前記第１のポートを介して前記シリンダの前記第１のチャンバに連通し、かつ、前記ピストンを前記第１の位置で保持するために前記第１のチャンバを加圧するように構成されると共に、前記付勢要素により付勢される中、前記ピストンが前記第２の位置まで動くことを許容するために前記シリンダの前記第１のチャンバの圧力を開放するように構成され、
前記シリンダは、第２のポートを含み、前記第２のポートは前記第２のチャンバを前記空圧回路に連通させ、
前記空圧回路は、前記第１のチャンバが前記空圧機構によって加圧されている間、前記ピストンを、前記第１の位置と前記第２の位置との間の、前記トリップ弁の試行位置に対応する中間位置まで移動させるために前記シリンダの前記第２のチャンバを加圧するように構成された、
アクチュエータ組立体。
【請求項９】
前記空圧回路は、前記ピストンが前記中間位置に達すると前記第２のチャンバの加圧を停止し、前記ピストンを前記中間位置に保持すように前記第２のチャンバ内の圧力を保持するように構成された、
請求項８に記載のアクチュエータ組立体。
【請求項１０】
前記空圧回路は、前記ピストンが前記中間位置に到達するときに前記ピストンにより作動されるリミットスイッチを備え、前記リミットスイッチは、前記空圧回路に前記第２のチャンバの加圧を停止させ、前記ピストンが作動するときに前記第２のチャンバ内の前記圧力を保持するように構成された、
請求項９に記載のアクチュエータ組立体。
【請求項１１】
前記空圧回路は第１のソレノイド及び第２のソレノイドを備え、
前記第１のソレノイド及び前記第２のソレノイドは、前記空圧回路が作動しているときに、前記シリンダの前記第２のチャンバを加圧するように駆動され、
前記第１のソレノイド及び前記第２のソレノイドは、前記ピストンが前記中間位置に到達するときに、前記第２のチャンバの加圧を停止して前記第２のチャンバ内の前記圧力を保持するように駆動され、
前記第１のソレノイド及び前記第２のソレノイドは、前記空圧回路が解除されているときに、前記第２のチャンバの前記圧力を解放するように駆動される、
請求項９に記載のアクチュエータ組立体。
【請求項１２】
前記空圧回路は前記シリンダの前記第２のチャンバを加圧するように前記空圧回路を起動すると共に前記第２のチャンバの圧力を解放するように前記空圧回路を解除するように構成された起動スイッチを備える、
請求項８に記載のアクチュエータ組立体。
【請求項１３】
前記起動スイッチは回転スイッチに作動的に結合された、
請求項１２に記載のアクチュエータ組立体。
【請求項１４】
前記付勢要素は圧縮ばねを備える、
請求項８に記載のアクチュエータ組立体。
【請求項１５】
タービン用の空圧式トリップシステムのトリップ弁を試行する方法であって、前記トリップ弁は、タービン流路に作動的に関連付けられた弁部材と、前記弁部材に結合された弁棒とを備え、前記弁部材は、前記タービン流路を閉じて前記タービン流路を通る流体の流れを妨げるために前記タービン流路に係止するように作動するように構成され、前記方法は、
前記弁棒に作動的に結合されたアクチュエータ組立体を提供するステップを備え、
前記アクチュエータ組立体は、
シリンダと、
前記シリンダ内に移動可能に配設され、前記シリンダを第１のチャンバと第２のチャンバとに分割するピストンと、
前記シリンダの前記第２のチャンバ内に配設され、前記ピストンを係止している付勢要素と、
前記シリンダの前記第２のチャンバと連通する空圧回路と、
前記シリンダの前記第１のチャンバを加圧するように構成された空圧機構とを有し、
前記ピストンは、前記弁棒及び前記弁部材を、前記タービン流路を通る流体の流れを許容する開位置と、前記タービン流路を通る流体の流れを妨げる閉位置との間で移動させるように、前記弁棒に作動的に結合され、
前記付勢要素は、前記弁棒及び前記弁部材を前記閉位置に向けて付勢するように前記ピストンを係止し、
前記シリンダは第１のポートを含み、前記第１のポートは、前記ピストンに前記弁棒及び前記弁部材を前記開位置で保持させるために前記シリンダの前記第１のチャンバが加圧され得るように、前記第１のチャンバを前記シリンダの外部と連通させ、
前記シリンダは第２のポートを含み、前記第２のポートは、前記第２のチャンバを前記空圧回路に連通させ、
前記ピストンに前記弁棒及び前記弁部材を前記開位置で保持させるために前記シリンダの前記第１のチャンバを前記空圧機構で加圧するステップと、
前記付勢要素により付勢される中、前記ピストンが前記弁棒及び前記弁部材を前記閉位置まで動かすことを許容するために前記シリンダの前記第１のチャンバの圧力を前記空圧機構で開放するステップと、
前記第１のチャンバが前記空圧機構によって加圧されている間、前記弁棒及び前記弁部材を前記開位置と前記閉位置との間の試行位置まで動かすために、前記ピストンを作動させるようにシリンダの第２のチャンバを加圧するために前記空圧回路を起動するステップと、
前記弁棒及び前記弁部材が前記試行位置に達したときに前記第２のチャンバの加圧を停止しつつ、前記弁棒及び前記弁部材を前記試行位置に保つために前記第２のチャンバ内の圧力を保持するように前記空圧回路を起動するステップと、
前記弁棒及び前記弁部材が前記開位置まで戻ることを許容するように前記第２のチャンバの圧力を開放するために前記空圧回路を解除するステップとをさらに備え、
前記弁部材は、前記試行位置で、前記タービン流路を通る流体の流れを許容する、
方法。
【請求項１６】
前記空圧回路は、前記ピストンが前記弁棒及び前記弁部材を前記試行位置に動かすときに前記ピストンにより作動されるリミットスイッチを備え、前記リミットスイッチは、前記第２のチャンバの加圧を停止させつつ前記ピストンが作動するときに前記第２のチャンバ内の前記圧力を保持するために前記空圧回路を起動するように構成された、
請求項１５に記載の方法。
【請求項１７】
前記空圧回路は第１のソレノイド及び第２のソレノイドを備え、
前記第１のソレノイド及び前記第２のソレノイドは、前記空圧回路が作動しているときに、前記シリンダの前記第２のチャンバを加圧するように駆動され、
前記第１のソレノイド及び前記第２のソレノイドは、前記弁棒及び前記弁部材が前記試行位置にあるときに、前記第２のチャンバの加圧を停止して前記第２のチャンバ内の前記圧力を保持するように駆動され、
前記第１のソレノイド及び前記第２のソレノイドは、前記空圧回路が解除されているときに、前記第２のチャンバの前記圧力を解放するように駆動される、
請求項１５に記載の方法。
【請求項１８】
前記空圧回路は、前記シリンダの前記第２のチャンバを加圧するように前記空圧回路を起動すると共に前記第２のチャンバの前記圧力を解放するように前記空圧回路を解除するように構成された起動スイッチを備える、
請求項１５に記載の方法。